(57)【要約】【課題】中に背広やドレス等の衣類を収納するハンガー付きのスーターを備え、このスーターはハンガーの反対端をポケットに連接、固定することにより、中で衣類が動いて散乱することなく持ち運びできるように工夫したスーツケースを提供する。【解決手段】箱体１と蓋体２とがヒンジを介して開閉自在に連設され、かつ、スーター５の一方端が前記箱体１の内周壁に係止されたスーツケースにおいて、前記箱体１の中にポケット３１が装着されるとともに、この裏側に前記スーター５が重着されてなることを特徴とするスーツケース。【選択図】      図４
0003110717.tif 000002
【実用新案登録請求の範囲】
【請求項１】
箱体１と蓋体２とがヒンジを介して開閉自在に連設され、
かつ、スーター５の一方端が前記箱体１の内周壁に係止されたスーツケースにおいて、
前記箱体１の中にポケット３１が装着されるとともに、この裏側に前記スーター５が重着されてなることを特徴とするスーツケース。
【請求項２】
前記ポケット３１の裏面に裏ポッケット７が設けられ、
かつ、舌片７１の一方端が、ポケットジッパー７３を介して前記裏ポッケット７に継合されるとともに、
前記舌片７１の他方端が、ジッパー８を介してスーター５に備える裾部５４に継合されてなることを特徴とする請求項１記載のスーツケース。
【考案の詳細な説明】
【技術分野】
【０００１】
本考案は、中にスーターを備えたスーツケースに関する。詳しくは、スーターの一方端をスーツケースの内周壁に係止し、他方端をポケットに連接、固定することにより、スーターの中で背広やドレス等大形の衣類が動いて散乱することなく収納できるようにしたスーツケースに関する。
【背景技術】
【０００２】
スーツケースは、一般に、硬質の合成樹脂製で形成された殻状の箱体と、同様に形成された蓋体とがヒンジを介して開閉可能に連設され、箱体と蓋体とを施錠するように構成されている。
【０００３】
通常、スーツケースの中に収納された衣類等の動きを抑えるために、ストラップ等により箱体に詰めた衣類等を押えたり、小物の衣類等を収納するポッケトを備えることが行なわれている。
【０００４】
しかしながら、前記の装備だけでは衣類等を動かないようにするには不十分であり、持ち運びの度に衝撃や振動によって位置がずれたり、型崩れしたり皺になる等の問題があった。特に、収容物が少なく内部に隙間がある場合に衣類等が中で動き易くなる。そこで、スーツケースの中に、膨張・収縮自在な空気袋を備え、膨らんだ空気袋によって収容物を押さえて位置ずれを防止するようにした提案がなされている（特許文献１参照）。
【０００５】
【特許文献１】特開平９−２３８７２７号公報
【考案の開示】
【考案が解決しようとする課題】
【０００６】
しかしながら、特許文献１に代表されるように、まとめると、従来のスーツケースには、次のような問題点がある。
【０００７】
即ち、従来のスーツケースの問題点は、スーツケースを持ち運ぶ度に衝撃や振動によって位置がずれて、中に収納した背広等衣類の型が崩れたり皺になる。
【０００８】
そこで、本考案のスーツケースは、このような従来の抱える問題点を解決するためになされたもので、中に背広やドレス等の衣類を収納するハンガー付きのスーターを備え、このスーターはハンガーの反対端をポケットに連接、固着することにより、中で衣類が動いて散乱することなく持ち運びできるように工夫したスーツケースを提供することを目的としている。
【課題を解決するための手段】
【０００９】
上記目的を達成するために、請求項１の考案は、箱体１と蓋体２とがヒンジを介して開閉自在に連設され、かつ、スーター５の一方端が前記箱体１の内周壁に係止されたスーツケースにおいて、前記箱体１の中にポケット３１が装着されるとともに、この裏側に前記スーター５が重着されてなることを特徴とする。
【００１０】
また、請求項２の考案は、請求項１の考案の上記特徴に加えて、前記ポケット３１の裏面に裏ポッケット７が設けられ、かつ、舌片７１の一方端が、ポケットジッパー７３を介して前記裏ポッケット７に継合されるとともに、前記舌片７１の他方端が、ジッパー８を介してスーター５に備える裾部５４に継合されてなることを特徴とする。
【考案の効果】
【００１１】
中に背広やドレス等を収納するハンガー付きのスーターの一方端を箱体の内周壁に係止し、この他方端とポケットとがジッパーを介して継合されるので、衣類が動いて散乱することなく持ち運びできる効果を奏するものである。また、背広やドレス等の大形ではなく、小物の衣類をスーターに収納して使用する場合は、スーターの他方端のジッパーを解除してポケットから切り離し、それぞれ独立したスーターとポッケトとして使用できる多機能性を有するスーツケースである。
【考案を実施するための最良の形態】
【００１２】
本考案の実施の形態を、添付図面に例示した本考案の実施例に基づいて以下に具体的に説明する。
【実施例】
【００１３】
先ず、本考案の実施例について、図１〜図７を参照しながら説明する。図１は、本実施例に係わるスーツケースの外観斜視図である。図２は、同上、スーツケース内部のコンパートメントを示す斜視図である。図３は、同上、スーツケースの箱体側コンパートメントを示す斜視図である。図４は、同上、スーツケース内部のスーターを拡開した状態を示す斜視図である。図５は、同上、スーターの裾部と裏ポケットの舌片とを閉じるジッパーを解除した状態を示す斜視図である。図６は、同上、裏ポケットの舌片を閉じ込む状態を示す斜視図である。図７は、同上、裏ポケットの舌片を裏ポケットの中へ閉じ込んだ状態を示す斜視図である。
【００１４】
スーツケースは、基本的には背広を入れることができる程度の大きさである。図１に示すように、スーツケース１００は、箱体１と蓋体２とがヒンジ（図示なし）を介して開閉可能に設けられ、ロック１０３により閉じる。箱体１と蓋体２とが閉じた状態では、側面に把手１０１と把手１０２を備える。図１に示すように、スーツケース１００を縦長に立てて使用する場合は、把手１０１を掴んで下方の側面に備えるキャスター１０４により転がす。スーツケース１００を横長にして使用する場合は、把手１０２を掴む。
【００１５】
図２に、スーツケース１００の中の衣類等を収納する仕切りを示す。箱体１側の箱体コンパートメント３と蓋体２側の蓋体コンパートメント４とに二つに区分される。箱体コンパートメント３は、深さ方向にポッケト３１が占め、この上をストラップ３２が交差している。このストラップ３２が中央でＸ字状に交差した部位には、収納される衣類等の量によって上からの押さえを調整するバックル３３を備え、ストラップ３２の他方端は、箱体１の内周壁の四箇所に設けられた係止具に固定されている。そして、この図には隠れて見えないが、ポッケト３１の裏面に後述する裏ポケット７が設けられ、さらに、後述するスーター５が二つ折りの状態で重着されている。
【００１６】
一方の蓋体コンパートメント４は、深さ方向に全面をポッケト４１が占め、この上をストラップ４２が交差している。このストラップ４２が中央でＸ字状に交差した部位には、ポッケト４１に収納される衣類等の量によって上からの押さえを調整するバックル４３を備え、ストラップ４２の他方端は、蓋体コンパートメント４の内周壁の四箇所に設けられた係止具に固定されている。そして、ポッケト４１の上端は、フック４５を介して蓋体コンパートメント４の内周壁の左右ニ箇所に係止されている。また、ポッケト４１の上部には、ポケットジッパー４４を備え、開け閉めを可能にする。
【００１７】
以上のように、スーツケース１００は構成されるが、その他に、ポッケト３１の裏側に衣類等の収納部が設けられており、これ等について説明する。図３には、ポケット３１の上を交差するストラップ３２のバックル３３を解除した状態を示す。そして、ポケット３１の襟部３５に備える二箇所のフック３７を内周壁から解除した後、ポッケト３１の裾に備える折り目３６の部位から、ポッケト３１を裏返しにして蓋体２の側へ折り返す。この状態を図４に示す。ポッケト３１の裏面に設けられた裏ポケット７の舌片７１の先端部にジッパー８を備え、これにスーター５の裾部５４が継合している。ここで、長く拡開されたスーター５のスーター下部５６の裏側に、前記した裏ポケット７が隠れている。このため、ポッケト３１を蓋体２の側へ折り返すと、通常は、箱体１の側で二つ折にして裏側に重着されていたスーター５も蓋体２の側へ折り返される。即ち、図示のようにスーター５の裾部５４も箱体１側から蓋体２の側へ跨って折り返され長く開拡される。このように、スーター５は、箱体１側で、内周壁に備える係止具３９にハンガー６を介して係止され、蓋体コンパートメント４の側へ長く拡開されるので、このスーター５の中には、背広等の大形の衣類を収納することができる。
【００１８】
次に、スーター５の裾部５４が箱体１側から蓋体２の側へ跨って折り返され長く開拡されたままで、スーター５が裏ポケット７から切り離された状態を図５に示す。図のように、裏ポケット７に備える舌片７１とスーター５の裾部５４とを継合するジッパー８を解除すると、ポッケト３１とスーター５とが切り離される。この時、舌片７１は裏ポケット７から外方へ出た状態にある。
【００１９】
上記したような舌片７１の使い方の他に、舌片７１を裏ポケット７の中へ折り込むことができる。
【００２０】
先ず、舌片７１を裏ポケット７の中へ閉じこむ前の状態について詳細を説明する。この裏ポケット７の裾部７２にはポケットジッパー７３を備え、この部位に舌片７１の一方端が継合され、この舌片７１の他方端にはジッパー８を備える。図６には、舌片７１がポケットジッパー７３の部位から折れ、裏ポケット７から外方へはみ出た状態を示す。このような状態を経て、次に舌片７１は裏ポケット７の中に納まる。
【００２１】
以上のように構成され、次に作用について説明する。
【００２２】
先ず、旅行等でスーツケース１００を持ち運ぶ時、この中の箱体１と蓋体２は図２に示すような状態になっている。この場合、スーター５はポケット３１の裏側に二つ折りにして隠れ、この中に背広やドレス等の衣類が収納されている。次に、スーター５中の衣類等の荷を解くと、図４に示すように、スーター５は、箱体コンパートメント３側から蓋体コンパートメント４の側へ跨って折り返され長く延ばされた状態になる。この時、スーター５の裾部５４が裏ポケット７に備える舌片７１の一方端のジッパー８に継合されているので、ポケット３１を蓋体２側へ裏返すと同時にスーター５の裾部５４も一緒に蓋体コンパートメント４の側へ跨って折り返される。このように、スーター５の裾部５４がフリーではないので、ポケット３１を裏返す動作と同時にスーター５も拡開され便利である。
【００２３】
次に、図５に示すように、ジッパー８を解除し、裏ポケット７の舌片７１とスーター５の裾部５４とを切り離すことによりスーター５を独立して使用できる。即ち、スーター５をハンガー６とともに箱体１の内周壁から外し、ホテル等の宿泊場所の衣装タンスや壁に長く伸ばした状態で吊し、背広の折皺を伸ばすことができる。
【００２４】
一方、裏ポケット７もスーター５から切り離して独立して使うこともできる。即ち、図７に示すように、裏ポケット７の中に、小物の衣類とか書類等を納めると同時に、舌片７１を裏ポケット７の中に納めてポケットジッパー７３を閉じる。なお、舌片７１は、裏ポケット７の中に隠れるので図には示されない。
【００２５】
また、スーター５の中には小物類を収納して使うこともできる。即ち、スーツケース１００を旅行等で持ち運ぶ際に、中に小物類を収納したスーター５を二つ折りにして箱体コンパートメント３の底に収め、その上に、小物の衣類とか書類等を納めたポケット３１を重ね、ストラップ３２により上から押さえる。
【００２６】
スーツケースの外郭は、例えば強固なハニカム材である。そして、その外周は硬質の合成樹脂、例えばエチレン酢酸ビニールにより被覆されている。いずれも、ケースの中の物を損傷から保護する構造体として、あるいはぶつかり等の衝撃にも耐える材料として強度上優れたものである。また、軽量化に寄与する材料である。
【００２７】
尚、スーツケース内のポケットを閉じる方法としては、ジッパーの他に結束マジックバンド等の公知の手段によることもできる。
【産業上の利用可能性】
【００２８】
本考案のスーツケースは、ハードサイド鞄の他にソフトサイド鞄にも適用できる。
【図面の簡単な説明】
【００２９】
【図１】本考案の実施例に係わるスーツケースの外観斜視図である。
【図２】同上、スーツケース内部のコンパートメントを示す斜視図である。
【図３】同上、スーツケースの箱体側コンパートメントを示す斜視図である。
【図４】同上、スーツケース内部のスーターを拡開した状態を示す斜視図である。
【図５】同上、スーターの裾部と裏ポケットの舌片とを閉じるジッパーを解除した状態を示す斜視図である。
【図６】同上、裏ポケットの舌片を閉じ込む状態を示す斜視図である。
【図７】同上、裏ポケットの舌片を裏ポケットの中へ閉じ込んだ状態を示す斜視図である。
【符号の説明】
【００３０】
１００  スーツケース
１０１、１０２  把手
１０３  ロック体
１０４  キャスター
１  箱体
２  蓋体
３  箱体コンパートメント
３１  ポケット
３２  ストラップ
３３  バックル
３４  ポケットジッパー
３５  襟部
３６  折り目
３７  フック
３９  係止具
４  蓋体コンパートメント
４１  ポケット
４２  ストラップ
４３  バックル
４４  ポケットジッパー
４５  フック
５  スーター
５１  ポケットジッパー
５４  裾部
５５  スーター上部
５６  スーター下部
６  ハンガー
７  裏ポケット
７１  舌片
７２  裾部
７３  ポケットジッパー
８  ジッパー
【図１】
0003110717.tif 000003
【図２】
0003110717.tif 000004
【図３】
0003110717.tif 000005
【図４】
0003110717.tif 000006
【図５】
0003110717.tif 000007
【図６】
0003110717.tif 000008
【図７】
0003110717.tif 000009